(57)【特許請求の範囲】
【請求項１】
給油専門作業員と、給油エリアから離れた位置に設けた精算所とで構成した給油所において、自動停止機能を有した計量機と、該計量機の給油状態を表示する給油状態表示器と、該給油状態表示器に精算終了信号を出力する精算装置と、計量機に設けた作動スイッチからの信号で給油エリアに停車した自動車の退出を移動部材で阻止し、精算装置からの信号で移動部材を退避位置に移動し自動車の退出を許可する退出阻止手段と、ノズル掛けへの給油ノズルの脱着によりオン・オフするノズルスイッチからのオン・オフ信号と、精算装置からの精算終了信号とより点灯、点滅、そして消灯を制御されるパトライトを計量機の上面に設け、
退出阻止手段は端部をエアー供給管に接続された蛇腹管より形成された移動部材を敷地に設けた凹部よりエアーの供給及び停止で退出阻止位置、退避位置に伸縮して自動車の発進を規制しているものであり、前記エアーの供給及び停止のタイミングは、作動スイッチからの作動信号及び精算装置からの精算終了信号で作動することを特徴とした給油所。
【発明の詳細な説明】
【０００１】
【発明の属する技術分野】
本発明は、自動車等へガソリン等の燃料油を給油する給油所に関するものである。
【０００２】
【従来の技術】
従来の給油所では給油及び窓拭き等を行う給油業務と、給油代金の精算を行う精算業務とが有り、顧客１人、又は２人に作業員１人が前記業務に対応して、顧客に対して満足できるサービスを提供していた。
【０００３】
【発明が解決しようとする課題】
しかし、最近の給油所では人手を少なくするために、少ない作業員で多数の顧客に対して給油業務と精算業務とを行っているので、精算業務を行っている際に他の顧客の給油が終了しても、気づかないでそのまま放置して不快感を与えていた。また、逆に給油が終了しても精算業務が放置されるので、待ちくたびれて給油代金不払いのまま退出してしまうという不都合があった。
【０００４】
本発明はこのような不都合に鑑みてなされたものであって、その目的とするところは、少ない作業員で顧客へ満足できるサービスを行う給油所を提供することである。
【０００５】
【課題を解決するための手段】
このような問題を解消するために本発明においては、給油専門作業員と、給油エリアから離れた位置に設けた精算所とで構成した給油所において、自動停止機能を有した計量機と、該計量機の給油状態を表示する給油状態表示器と、該給油状態表示器に精算終了信号を出力する精算装置と、計量機に設けた作動スイッチからの信号で給油エリアに停車した自動車の退出を移動部材で阻止し、精算装置からの信号で移動部材を退避位置に移動し自動車の退出を許可する退出阻止手段と、ノズル掛けへの給油ノズルの脱着によりオン・オフするノズルスイッチからのオン・オフ信号と、精算装置からの精算終了信号とより点灯、点滅、そして消灯を制御されるパトライトを計量機の上面に設け、
退出阻止手段は端部をエアー供給管に接続された蛇腹管より形成された移動部材を敷地に設けた凹部よりエアーの供給及び停止で退出阻止位置、退避位置に伸縮して自動車の発進を規制しているものであり、前記エアーの供給及び停止のタイミングは、作動スイッチからの作動信号及び精算装置からの精算終了信号で作動することを要旨とするものである。
【０００６】
本発明によれば、給油専門作業員と、給油エリアから離れた位置に設けた精算所とで構成したので、給油業務に関わる作業員は給油ノズルの掛け外しのみに専念でき、多数の車を処理できる。また、それぞれの業務に専念でき、給油所の省人化を図ることができる。
【０００７】
【発明の実施の形態】
以下、本発明の実施の形態を図面に基づいて説明する。図１は本発明の給油所設備の構成を説明する図、図２は本発明の給油所の外観を示す斜視図、図３は本発明の屋内表示器と精算制御装置の配置例を示す斜視図、そして図４は本発明の給油所設備の構成を示すブロック図である。
【０００８】
これらの図において、本発明の給油所は、給油のための複数の計量機１が給油所の敷地２内に、前後に給油エリアを設けたアイランド３上に立設されており、前記計量機１は予め設定した定量又は定額になると給油を停止するプリセット給油、及び給油ノズルに設けた液面センサの出力に基づいて流量を制御して満タンになると給油を停止する満タン給油等の自動給油停止機能を備えている。
【０００９】
各計量機１の給油状態を表示する屋外表示器４１が各計量機１側の屋外から見えるよう建物４の屋外壁面に取り付けられ、屋内表示器４５が屋内の顧客から見える屋内壁面の上部等に取り付けられている。そして、料金精算等を行う精算装置５１が屋内の出入口近傍のデスク上に配置されている。この建物内には、例えば、顧客の休憩場所、あるいは買い物等ができるコンビニエンスストアが併設されている。
【００１０】
上記計量機１は、その本体ケース１１内に、モータ１２で駆動されるポンプ１３、流量パルス発信器１４を有する流量計１５が順次地下タンクに連通するよう配管で接続された給油系統が内蔵されており、その給油系統の配管に給油ノズル１６を有する給油ホース１７が接続されている。この本体ケース１１側面には、給油ノズル１６を掛けるノズル掛け１８が設けられ、そのノズル掛け１８の近傍に給油ノズル１６の脱着によりオン・オフするノズルスイッチ１９が設けられ、その本体ケース１１の正面側には給油量等を表示する給油量表示器２０が設けられている。また、本体ケース１１内にはノズルスイッチ１９や流量パルス発信器１４からの信号によりモータ１２、給油量表示器２０及び屋外表示器４１を制御したり、あるいは精算装置５１側に信号を送信する計量機制御装置２１が設けられている。
【００１１】
図１０に示すように給油所の敷地２内の給油エリアから退出路への境界に位置するところに出没自在に退出阻止手段７１を埋設した。また、図９に示すように、前記計量機１の上面には給油終了と精算終了とを知らせるパトライト６４が設けられている。
【００１２】
図１１に示すように、退出阻止手段７１は端部をエアー供給管８２に接続された蛇腹管８３より形成された移動部材８４を敷地２に設けた凹部８５よりエアーの供給及び停止で退出阻止位置、退避位置に伸縮して自動車の発進を規制している。また、前記エアーの供給及び停止のタイミングは、作動スイッチ６２からの作動信号及び精算装置５１からの精算終了信号で作動する。
【００１３】
前記計量機制御装置２１は、給油制御部２２、送受信手段２３、パトライト制御手段６５、移動部材制御手段６６、そして屋外表示器制御部２４よりなる。給油制御部２２は、ノズルスイッチ１９から受信するオン・オフ信号によりモータ１２の駆動を制御するモータ制御手段２５と、流量パルス発信器１４のパルス信号を計数するとともにノズルスイッチ１９のオン信号で帰零する積算手段２６と、この積算手段２６からの信号を受信して給油量表示器２０の表示を制御する表示器制御手段２７とを有する。送受信手段２３は、ノズルスイッチ１９からのオン・オフ信号、及び流量パルス発信器１４からのパルス信号と精算装置５１からの精算終了信号を送受信する部分である。
【００１４】
パトライト制御手段６５はノズルスイッチ１９からのオン・オフ信号と、送受信手段２３を介して精算装置５１からの精算終了信号とよりパトライト６４の点灯、点滅、そして消灯を制御する。移動部材制御手段６６は作動スイッチ６２からの信号を退出阻止信号として退出阻止手段７１の移動部材７２を退出阻止位置に移動させ、送受信手段２３を介して精算装置５１からの精算終了信号を退出許可信号として退出阻止手段７１の移動部材７２を退避位置に移動させる部分である。
【００１５】
屋外表示器制御部２４は、ノズルスイッチ１９からのオン・オフ信号及び流量パルス発信器１４からのパルス信号により給油の開始及び終了を判断する給油開始終了判断手段２８と、ノズルスイッチ１９からのオン・オフ信号と流量パルス発信器１４からのパルス信号により給油再開を判断する給油再開判断手段２９と、ノズルスイッチ１９からのオン・オフ信号と流量パルス発信器１４からのパルス信号により給油停止を判断する給油停止判断手段３０と、給油開始終了判断手段２８、給油再開判断手段２９及び給油停止判断手段３０の判断結果に基づいて屋外表示器４１を制御する屋外表示制御手段３１とを有する。
【００１６】
前記精算装置５１は、キー入力するためのキーボード５３と、給油伝票等を発行するプリンタ５４と、給油状態、給油量、そして給油料金等を表示するＣＲＴディスプレイ等からなる精算装置用表示器５５と、屋内表示器４５の表示を制御する屋内表示制御手段５６と、各計量機１側から送信されてくるノズルスイッチ１９のオン・オフ信号や給油量等の給油データを受信して、各部を制御する精算制御装置５２とを有する。該精算制御装置５２はプリンタ５４で給油伝票を発行すると精算終了信号を送受信手段２３に送信する。
【００１７】
前記屋外表示器４１及び屋内表示器４５は、それぞれ横に長い長方形の箱体状に形成され、その表示面側の上段に各計量機１に対応したユニット番号を１、２、３、・・・等を表示するユニット番号表示部４１ａ、４５ａが設けられ、その中段に対応するランプ４１ｂ、４５ｂと、下段に対応するスピーカー４１ｃ、４５ｃとが配置されている。そして、屋外表示器４１は屋外表示制御手段３１でランプ４１ｂ、４５ｂの点灯・点滅・消灯及びスピーカー４１ｃ、４５ｃからのチャイム又はブザーによる報知が制御され、また屋内表示器４５は屋内表示制御手段５６でランプ４５ｂの点灯・点滅・消灯及びスピーカー４５ｃからのチャイム又はブザーによる報知が制御される。
【００１８】
次に動作を説明する。図５は本発明の退出阻止手段の第一実施例の動作を説明するフローチャート、図６は本発明のパトライトの動作を説明するフローチャート、図７は本発明の屋外表示器の動作を説明するフローチャート、そして図８は本発明の屋内表示器の動作を説明するフローチャートである。
【００１９】
まず、退出阻止手段７１に関して、給油エリアに自動車が停車すると、移動部材８４が自動車に当たらないことを確認してから、計量機１に設けた作動スイッチ６２を作業員が押圧すると（図５  ＳＴ１）、移動部材８４が作動スイッチ６２からの作動信号で作動する
【００２０】
そして、この状態で給油が行われ、終了後事務所内で給油伝票が発行されて給油代金の精算が終了すると（図５  ＳＴ３）、移動部材８４が地中内の退避位置に移動する（図５  ＳＴ４）。
【００２１】
次に、パトライト６４に関して、給油エリアに自動車が停車して作業員が給油ノズル１６をノズル掛け１８から外すと、ノズルスイッチ１９からのオン信号がパトライト制御手段６５に出力され（図６  ＳＴ１）、該パトライト制御手段６５では点灯信号をパトライト６４に出力して点灯させる（図６  ＳＴ２）。そして、給油が終了して給油ノズル１６をノズル掛け１８に掛けると、ノズルスイッチ１９からのオフ信号がパトライト制御手段６５に出力され（図６  ＳＴ３）、該パトライト制御手段６５では点滅信号をパトライト６４に出力して点滅させる（図６  ＳＴ４）。
【００２２】
さらに、給油代金の精算が終了すると、パトライト制御手段６５は精算装置５１より送受信装置２３を介して精算終了信号を入力する（図６  ＳＴ５）。前記パトライト制御手段６５は給油代金の精算が終了したと判断して、消灯信号をパトライト６４に出力して消灯させる（図６  ＳＴ６）。
【００２３】
次に、屋外表示器４１に関して、所定の計量機１の給油ノズル１６がノズル掛け１８から外されてノズルスイッチ１９がオンになり（図７  ＳＴ１）、かつ流量パルス発信器１４からのパルス信号が屋外表示器制御部２４に入力すると（図７  ＳＴ２）、給油開始終了判断手段２８が給油開始と判断し、屋外表示制御手段３１が点灯信号を屋外表示器４１に送り、その対応するランプ４１ｂが点灯する（図７  ＳＴ３）。
【００２４】
そして、給油を開始して流量パルス発信器１４からのパルス信号が屋外表示器制御部２４に入力している間には、ランプ４１ｂが点灯しているが、給油ノズル１６の弁が閉じ、パルス信号の入力が停止してＴ秒（例えば３秒程度）経過したときに給油停止判断手段３０が給油停止と判断し、屋外表示制御手段３１が点滅信号を屋外表示器４１に送り、そのランプ４１ｂが点灯から点滅に変わり、同時に屋外表示制御手段３１より報知出力信号を屋外表示器４１に送り、スピーカー４１ｃよりチャイム又はブザーが鳴る（図７  ＳＴ４、図７  ＳＴ５、図７  ＳＴ６）。
【００２５】
そして、給油ノズル１６の弁が開かれ流量パルス発信器１４からのパルス信号が、再び屋外表示器制御部２４に入力すると（図７  ＳＴ７）、給油再開判断手段２９が給油再開と判断して、屋外表示制御手段３１より報知出力停止信号を屋外表示器４１に送り、スピーカー４１ｃよりチャイム又はブザーによる報知が停止する。同時に、屋外表示制御手段３１より点灯信号を屋外表示器４１に送り、そのランプ４１ｂが点滅から点灯に変わる（図７  ＳＴ８）。そして給油終了後、給油ノズル１６がノズル掛け１８に掛けられ、ノズルスイッチ１９がオフになると（図７  ＳＴ９）、給油開始終了判断手段２８が給油終了を判断し、屋外表示制御手段３１が消灯信号及び報知出力停止信号を屋外表示器４１に送り、そのランプ４１ｂが消灯し、スピーカー４１ｃよりチャイム又はブザーによる報知が停止する（図７  ＳＴ１０）。
【００２６】
次に、屋内表示器４５に関して、所定の計量機１のノズルスイッチ１９のオン・オフ信号及び流量パルス発信器１４のパルス信号は、送受信手段２３により精算装置５１側の精算制御装置５２に送信され、屋内表示制御手段５６で屋内表示器４５の表示及び報知の制御が行われる。すなわち、まず給油ノズル１６がノズル掛け１８から外されてノズルスイッチ１９のオン信号が伝わると（図８  ＳＴ２１）、屋内表示制御手段５６は、屋内表示器４５に点灯信号を送り、そのランプ４５ｂが点灯する（図８  ＳＴ２２）。
【００２７】
次に、給油ノズル１６がノズル掛け１８に掛けられ、ノズルスイッチ１９のオフ信号が伝わると（図８  ＳＴ２３）、料金精算が必要なことを知らせるために屋内表示制御手段５６は屋内表示器４５に点滅信号を送り、そのランプ４５ｂが点灯から点滅に変わる。また、このとき屋内表示制御手段５６から報知出力信号を屋内表示器４５に送り、スピーカー４５ｃよりチャイム又はブザーが鳴る（図８  ＳＴ２４）。そして、精算装置５１から精算終了信号が出力されたとき（図８  ＳＴ２５）、屋内表示制御手段５６は屋内表示器４５に消灯信号及び報知出力停止信号を送り、そのランプ４５ｂが消灯し、スピーカー４５ｃよりチャイム又はブザーによる報知が停止する（図８  ＳＴ２６）。
【００２８】
また、図１２に示すように、計量機１を建物４の両側に設けたアイランド３に立設する実施例が考えられ、アイランド３毎にチャイムまたはブザーの音色を変えれば、建物４の付近にいる従業員は屋外表示器４１からの前記チャイムまたはブザーの音色の違いを判断して、前記チャイムまたはブザーの鳴ったエリアへ行くことができる。また、スピーカー４１ｃの数を少なくできるので、設備投資に掛かる費用も安くできる。
【００２９】
【発明の効果】
本発明に係る給油所は以上詳細に述べた如くであって、給油専門作業員と、給油エリアから離れた位置に設けた精算所とで構成したので、給油業務に関わる作業員は給油ノズルの掛け外しのみに専念でき、多数の車を処理できる。また、それぞれの業務に専念でき、給油所の省人化を図ることができる。
【図面の簡単な説明】
【図１】  本発明の給油所の構成を説明する図である。
【図２】  給油所の外観を示す斜視図である。
【図３】  屋内表示器と精算制御装置の配置例を示す斜視図である。
【図４】  本発明の給油所の構成を示すブロック図である。
【図５】  本発明の退出阻止手段の動作を説明するフローチャートである。
【図６】  本発明のパトライトの動作を説明するフローチャートである。
【図７】  本発明の屋外表示器の動作を説明するフローチャートである。
【図８】  本発明の屋内表示器の動作を説明するフローチャートである。
【図９】  パトライトの設置を示す斜視図である。
【図１０】  本発明の退出阻止手段を配置した実施例の斜視図である。
【図１１】  本発明の退出阻止手段の実施例の構造を説明する図である。
【図１２】    本発明の給油所の他の配置例を示す斜視図である。
【符号の説明】
１  計量機
２  敷地
３  アイランド
４  建物
１１  本体ケース
１２  モータ
１３  ポンプ
１４  流量パルス発信器
１５  流量計
１６  給油ノズル
１７  給油ホース
１８  ノズル掛け
１９  ノズルスイッチ
２０  給油量表示器
２１  計量機制御装置
２２  給油制御部
２３  送受信手段
２４  屋外表示器制御部
２５  モータ制御手段
２６  積算手段
２７  表示器制御手段
２８  給油開始終了判断手段
２９  給油再開判断手段
３０  給油停止判断手段
３１  屋外表示制御手段
４１  屋外表示器
４１ａ  ユニット番号表示部
４１ｂ  ランプ
４１ｃ  スピーカー
４５  屋内表示器
４５ａ  ユニット番号表示部
４５ｂ  ランプ
４５ｃ  スピーカー
５１  精算装置
５２  精算制御装置
５３  キーボード
５４  プリンタ
５５  精算装置用表示器
５６  屋内表示制御手段
６２  作動スイッチ
６４  パトライト
６５  パトライト制御手段
６６  移動部材制御手段
７１  退出阻止手段
８２  エアー供給管
８３  蛇腹管
８４  移動部材
８５  凹部
【図１】
0003787931.tif 000002
【図３】
0003787931.tif 000003
【図４】
0003787931.tif 000004
【図６】
0003787931.tif 000005
【図７】
0003787931.tif 000006
【図８】
0003787931.tif 000007
【図１１】
0003787931.tif 000008
【図１０】
0003787931.tif 000009
【図２】
0003787931.tif 000010
【図５】
0003787931.tif 000011
【図９】
0003787931.tif 000012
【図１２】
0003787931.tif 000013